(57)【要約】【課題】遠隔操作装置に警告表示を記載するためのスペースの確保が困難である。また、商品的にも警告表示でデザインイメージが低下する。【解決手段】機器本体の運転指示を行う機能スイッチ群１〜５と、運転状況を画面に表示する表示部７とを有するリモコン１０（遠隔操作装置）にあって、画面表示部７（表示部）にＰＬ法に基づく警告表示を表示することで、デザインイメージの向上と、使用者への確実な報知を行える。【選択図】  図１
2004333052.tif 000002
【特許請求の範囲】
【請求項１】
機器本体へ運転指示を行う機能スイッチ群と、前記機器本体の運転状況を画面に表示する表示部とを有する遠隔操作装置であって、前記表示部が、ＰＬ法に基づく警告表示を表示することを特徴とした遠隔操作装置。
【請求項２】
操作した機能スイッチに対応して警告表示を表示部に表示する請求項１記載の遠隔操作装置。
【請求項３】
警告表示は表示部の画面上に任意の大きさで設定可能とした請求項２記載の遠隔操作装置。
【請求項４】
画面に表示する警告表示は表示タイマー判定手段で一定時間経過後に消滅することを特徴とした請求項１から３のいずれか１項記載の遠隔操作装置。
【請求項５】
画面に表示する警告表示は表示タイマー判定手段で一定時間経過後に縮小し、継続的に画面に表示する請求項１から３のいずれか１項記載の遠隔操作装置。
【請求項６】
画面に警告表示を表示中は操作部の機能スイッチ群の入力を受け付けない構成とした請求項１から５のいずれか１項記載の遠隔操作装置。
【請求項７】
画面に警告表示を表示中に操作部の特定スイッチの入力を判定手段で判定し、前記警告表示を解除する構成とした請求項１から５のいずれか１項記載の遠隔操作装置。
【請求項８】
請求項１から７のいずれか１項記載の遠隔操作装置を設けた給湯器。
【発明の詳細な説明】
【０００１】
【発明の属する技術分野】
本発明は、機器本体と離れた位置に設置する遠隔操作装置の警告表示の表示方式と、この遠隔操作装置を設けたガス、石油等を熱源とする給湯器とに関するものである。
【０００２】
【従来の技術】
平成７年７月１日に製品の欠陥による使用者の生命、身体、財産を守る法律として製造物責任法（以下、ＰＬ法という。）が施行された。
【０００３】
これにより製造者は商品に対する注意喚起としてＰＬ法に基づく警告表示をラベルや印刷によって使用者が確認できる位置に表示するようになった。
【０００４】
また従来は、機器の運転中にセンサー等の出力値が基準値以下になった時や、誤った使い方をした時に表示するものがある（例えば、特許文献１、特許文献２参照）。
【０００５】
しかし、ＰＬ法に基づく表示とは異なるものであり、遠隔操作装置（以下、リモコンという。）の表示部にＰＬ法に基づく警告表示を行うというものはなく、ラベル等で表示するという方法が一般的であった。
【０００６】
図１０は従来例における台所のリモコン３０（遠隔操作装置）の斜視図を示す。
【０００７】
通常、ガス給湯器（図示せず）は機器本体の設置は屋外で、機器本体と無線式や有線式で接続するリモコン３０は台所やお風呂に設置されている。
【０００８】
リモコン３０はこれ以外にも多くの機器に使用されているが機器本体が屋外など離れた位置に設置される場合、リモコン３０が機器本体と位置付けられる。
【０００９】
警告表示は機器の操作をする時に使用者に見える位置に表示しなければ意味をなさないために、機器本体とリモコン３０の両方に表示している。
【００１０】
図１０に示すように、給湯運転スイッチ３１、風呂運転スイッチ３２、暖房運転スイッチ３３、などの機能スイッチ類と、給湯温度やお風呂の湯量を設定するアップスイッチ３４やダウンスイッチ３５などの設定スイッチ類と、運転の状況を表示する表示部３６などがある。
【００１１】
商品のロゴ３７、や警告表示３８は印刷やラベルにより表示している。
【００１２】
警告表示３８はＰＬ法に基づく警告文であり、機器本体が屋外設置の商品では、日常的に操作するリモコン３０の見える位置に印刷またはラベル等で該当項目を表示しなければならない。
【００１３】
ガス給湯器の場合は、熱いお湯に対する警告表示３８を印刷で表示している。
【００１４】
【特許文献１】
特開２００３−００４３９８号公報
【特許文献２】
特開２００２−３３４１５３号公報
【００１５】
【発明が解決しようとする課題】
しかしながら、ガス給湯器のリモコン３０は壁に固定して設置される場合が多く、警告表示３８を貼りつけ位置は、リモコン３０正面に限定される。
【００１６】
また、機器の操作を主目的にするリモコン３０は、機能スイッチ類３１、３２、３３や表示部３６の操作のしやすさや、見やすさを中心に開発が進められてきたことで、警告表示３８を表示する事は考慮されておらず、限られた大きさの中で、まずスペースの確保が非常に困難になっている。
【００１７】
上記従来例は、リモコン３０自体に警告表示３８を貼りつけるためのスペースが限られているために、給湯のお湯の温度に対する警告と、お風呂でのシャワーや浴槽内の湯の温度を確かめる内容をひとつにまとめて表示している。
【００１８】
また、“警告”“注意”といった使用者にとって、ネガティブな表現の警告表示３８は、商品の色合いや配置バランス、商品のロゴなどを含めたリモコン３０正面のデザイン性を著しく損なうといった課題がある。
【００１９】
高齢化が加速する中、表示部３６の大型化によって、（リモコン３０自体はそのままのサイズ）今まで以上にスペースの確保が困難になる。
【００２０】
また、従来例の警告表示３８では、「給湯の温度とシャワーの温度を確かめる旨」の警告文が一つに記載されているが、給湯、お風呂、暖房といった用途ごとにそれぞれに独自の警告文が必要な場合や、リモコンを一つの情報端末としてさまざまな機種との複合化の開発が進む中、警告表示も複数になることが想定され、さらにスペースの確保は重要な課題となる。
【００２１】
本発明は、前記従来の課題を解決するもので、デザイン性を向上した遠隔操作装置およびこの遠隔操作装置を設けた給湯器を提供することを目的とする。
【００２２】
【課題を解決するための手段】
上記課題を解決するため本発明の遠隔操作装置は、機器本体の運転指示を行う機能スイッチ群と、運転状況を画面に表示する表示部とを有する遠隔操作装置であって、前記表示部が、ＰＬ法に基づく警告表示を表示する。
【００２３】
上記発明によれば、警告表示をラベルや印刷で表示するスペースの確保が不用になる。
【００２４】
また、複数の警告表示も画面を切り換えることで表示が可能になり、商品のバランスや色合いなどのデザイン性を損なわない
【００２５】
【発明の実施の形態】
請求項１に記載の発明は、機器本体へ運転指示を行う機能スイッチ群と、前記機器本体の運転状況を画面に表示する表示部とを有する遠隔操作装置であって、前記表示部が、ＰＬ法に基づく警告表示を表示するものであり、遠隔操作装置の正面から警告表示ラベルが消え、デザイン上のイメージの向上が図れるとともに、確実に使用者に報知することが可能となる。
【００２６】
請求項２に記載の発明は、操作したスイッチの機能に対応して警告表示を表示部に表示することにより、複数の機能による警告表示がスペースの影響を受けずに表示できるとともに、スイッチ操作に対応したＰＬ法に基づく警告表示を行うことで、確実に使用者に警告内容を報知することが可能となる。
【００２７】
請求項３記載の発明は、画面に表示する警告表示は画面上に任意の大きさで設定可能としたことを特徴とするものであり、ＰＬ法の警告ランク“危険、警告、注意、”による警告表示に重み付けが可能になる。
【００２８】
請求項４記載の発明は、画面に表示する警告表示はマイコンで制御する表示タイマー判定手段で一定時間経過後に画面から消えて、以降の画面は機器の操作による画面表示になるようにしたことを特徴とするものである。
【００２９】
請求項５記載の発明は、画面に表示する警告表示はマイコンで制御する表示タイマー判定手段で一定時間経過後に縮小した状態で画面表示することを特徴とするものであり、以降の機器の操作中も継続的に使用者に伝えることが可能になる。
【００３０】
請求項６記載の発明は、画面に警告表示を表示中は操作部の機能スイッチ群の入力を受け付けない構成としたことにより、警告表示を一定時間保持し使用者に伝えることが可能になる。
【００３１】
請求項７記載の発明は、警告表示を画面表示中に、操作部のスイッチ類の入力を判定手段で判定すると、表示中の警告表示を解除するようにしたことを特徴とするものであり、マイコンプログラムの簡略化が可能になる。また使用者の思いで警告表示の解除が可能となり使い易いリモコンになる。
【００３２】
請求項８記載の発明は、請求項１から７のいずれか１項に記載のリモコンを給湯器に設けることにより、機器本体が屋外に設置されることが多い給湯器においても、使用者に確実に警告表示を報知することができる。
【００３３】
【実施例】
以下、本発明の実施例について図面を用いて説明する。
【００３４】
（実施例１）
図１（Ａ）は本発明の実施例１である給湯器のリモコンの斜視図、図１（Ｂ）は同実施例における給湯器のブロック図を示すものである。
【００３５】
同図において、屋内に設置されたリモコン１０は、屋外に設置されたガス給湯器本体２０と有線式にて双方向通信可能に接続されている。また、リモコン１０には、給湯運転スイッチ１、風呂運転スイッチ２、居室内の暖房を温水の循環で行う暖房運転スイッチ３などの機能スイッチ群と、給湯温度を設定するアップスイッチ４やダウンスイッチ５などの設定スイッチ群と、台所と風呂の通話用に操作する通話スイッチ６の操作部と各種運転の状況を画面に知らせる画面表示部７（表示部）などが設けられている。
【００３６】
給湯運転スイッチ１を押すと、機器をコントロールするマイコン８は給湯運転を判断し、画面表示部７に給湯運転時に関するＰＬ法に基づく警告表示９を表示する。
【００３７】
同様に、風呂運転スイッチ２、暖房運転スイッチ３の入力でそれぞれの運転時に関するＰＬ法に基づく警告表示９を表示する。
【００３８】
警告表示９を画面表示部７に表示することで、リモコン１０の本体正面に貼り付けたり、直接印刷して表示していた“警告、危険、注意”などの警告ラベルが廃止できる。
【００３９】
従来警告ラベルを配置していたスペースは、商品のロゴ１１や機能スイッチ群１、２、３などの操作部を含めたデザイン全体の配置に有効に活用できる。また、購入者の購買意欲を高める商品本来のデザインイメージを向上できる。
【００４０】
なお、本実施例において、給湯運転スイッチ１、風呂運転スイッチ２、暖房運転スイッチ３、給湯の温度をアップダウンするスイッチ４、などを画面表示部７のタッチパネルでのスイッチとしてもよい。
【００４１】
また、これ以外に複数の機能スイッチ類ごとに画面表示部７にその機能に合致した警告表示９を表示したり、設定スイッチ類の操作での警告表示９の表示したりすることが可能である。
【００４２】
画面表示部７は、液晶表示のほか、プラズマ表示など各種方式を採用することが可能であり、各種方式においても液晶表示方式と同様の効果を得ることができる。
【００４３】
また、本実施例においては、給湯器本体２０とリモコン１０とを有線式接続を行ったが、無線式にて接続してもよく、無線式にて接続することにより、給湯器の設置施工が容易になり、リモコン１０の設置位置の自由度を向上できる。
【００４４】
また、本実施例においては、給湯器をガス給湯器としたが、石油給湯器、電器給湯器においても、上述のガス給湯器と同様の効果を得ることができる。
【００４５】
また、リモコン１０以外に、テレビ、ビデオなどのＡＶ商品本体への応用も可能になる。
【００４６】
（実施例２）
図２（Ａ）、（Ｂ）、（Ｃ）は、本発明の実施例２における遠隔操作装置の給湯、風呂、暖房機能毎の警告表示の内容を示した斜視図である。
【００４７】
同図において、マイコン８は給湯運転スイッチ１、風呂運転スイッチ２、暖房運転スイッチ３など警告表示の必要なシーケンスに従い、画面表示部７にそれぞれの機能に合致した内容で警告表示９を表示する。
【００４８】
図２（Ａ）は給湯運転時、給湯運転スイッチ１を操作することにより表示する「警告：やけどに注意、熱いお湯がでます。」の警告表示例９−イである。
【００４９】
また、図２（Ｂ）の枠内は風呂運転スイッチ２を操作することで表示する「警告：やけどに注意、シャワーや浴槽のお湯の温度を確かめてください。」の警告表示例９−ロである。
【００５０】
さらに、図２（Ｃ）の枠内は暖房運転スイッチ３を操作することで表示する「注意：火災注意、お部屋に人が居ることを確かめてください。」の警告表示例９−ハである。
【００５１】
従来例では一つの警告表示ラベル３８に「警告：やけど注意、給湯でのお湯の温度とお風呂でのシャワーの温度を確かめてください。」の警告表示を一つにまとめて表示していたが、この実施例では給湯、お風呂、暖房など複数の機能を有するリモコン１０で、それぞれに使用者に伝えたい警告表示例９−イ、９−ロ、９−ハを機能ごとに画面を切り換えて表示することが可能で、よりきめ細かな警告表示をすることができる。
【００５２】
なお、警告表示９の内容は、本実施例で示したものに限定されるものではない。
【００５３】
（実施例３）
図３（Ａ）、（Ｂ）は、実施例３における遠隔操作装置の警告表示の表示サイズを示した斜視図である。
【００５４】
同図において、マイコン８は、給湯運転スイッチ１、風呂運転スイッチ２など警告表示の必要なシーケンスに従い警告表示９を警告ランク（ＰＬ法では取り扱いを誤った場合に起こりうる危害を“危険、警告、注意”と区分している。）に応じた表示サイズで画面表示部７に表示する。
【００５５】
＜ＰＬ法での警告ランクの内容＞
“危険”：警告内容を無視して取り扱いを誤った場合使用者が死亡または重症を負う危険が想定される場合。
“警告”：警告内容を無視して取り扱いを誤った場合使用者が死亡または重症を負う可能性が想定される場合。
“注意”：警告内容を無視して取り扱いを誤った場合使用者が障害を負う可能性又は財産のみの発生が想定される場合。
【００５６】
図３（Ａ）の枠内において、警告表示例９−ニは、警告表示ランクが“警告”であり使用者により注意を伝えたいことで画面表示部７の全体に表示した一例である。
【００５７】
図３（Ｂ）の枠内の警告表示例９−ホは、警告ランクが“注意”であり画面表示部７の半分程度に表示した一例（使用者に注意を伝わらなくても良いと言う意味ではなく、半分程度のサイズでも注意は伝わる。）である。
【００５８】
また“危険”喚起でのサイズも任意に設定し表示できる（図示せず）。
【００５９】
この実施例のように警告表示９をその重み付けによって任意のサイズで設定し表示できる自由度をあわせ持っている。
【００６０】
なお、本実施例では、警告表示例９−ニ、９−ホを警告ランクに応じた所定の表示サイズによって警告ランクを区分したが、色調や、枠囲みのデザインによる警告ランク区分としてもよい。
【００６１】
（実施例４）
図４は本発明の実施例４における遠隔操作装置の警告表示のフローチャート、図５は同実施例における遠隔操作装置のブロック図である。
【００６２】
同図において、まず給湯運転スイッチ１の操作で（ステップ１）、マイコン８は警告表示９の必要性を判定手段８ａで判定し（ステップ２）、警告表示が必要なら画面に警告表示画面９ａをＯＮする（ステップ３）。
【００６３】
次にマイコン８は、警告表示９を画面表示部７に一定時間表示するため表示経過時間をカウントする表示タイマー判定手段８ｂと電気的に接続されており、あらかじめ設定した時間が経過すると（ステップ４）、警告表示画面９ａをＯＦＦする（ステップ５）。ここで、表示タイマー判定手段８ｂのタイマーカウント中には、他のスイッチ類の入力受付を拒否する制御を行っている。
【００６４】
設定スイッチ４、５によって、画面表示部７は動作モードの表示に切り換わり、その後は通常の表示が行われる（ステップ６）。
【００６５】
そして、給湯運転スイッチ１の操作で運転を停止すると（ステップ７）、画面表示部７は待機時の画面表示になる（ステップ８）。
【００６６】
なお、警告表示９を画面表示部７に表示する時間は、あらかじめ設定した複数の表示時間の中から、使い勝手に合わせ任意に選択する制御方式としてもよい。
【００６７】
これにより、表示タイマー判定手段８ｂのタイマーカウント中には、他のスイッチ類の受付を拒否する制御を有することにより、警告表示画面９ａはあらかじめ定めた時間を表示し使用者に注意していただくメッセージを確実に伝えることが可能になる。
【００６８】
（実施例５）
図６は本発明の実施例５における遠隔操作装置の警告表示のフローチャートである。
【００６９】
同図において、給湯運転スイッチ１の操作で（ステップ１１）、マイコン８は警告表示９の必要性を判定手段８ａで判定し（ステップ１２）、警告表示が必要なら画面に警告表示画面９ａをＯＮする（ステップ１３）。
【００７０】
マイコン８は、警告表示を一定時間表示するため表示経過時間をカウントする表示タイマー判定手段８ｂと接続されており、あらかじめ設定した時間が経過すると（ステップ１４）、画面表示部７の機能表示を阻害しない位置に、警告表示画面９ａを縮小して警告表示縮小画面９ｂとして継続的に画面上に保持する（ステップ１５）。なお、表示タイマー判定手段８ｂのタイマーカウント中には、他のスイッチ類の入力受付を拒否する制御を行っている。
【００７１】
設定スイッチ類４、５の操作によって、画面表示部７は、動作モードの表示に切り換わった以降も縮小した警告表示９ｂを残したまま通常運転が継続される（ステップ１６）。
【００７２】
給湯運転スイッチ１の操作で運転が停止し（ステップ１７）、画面表示部７から縮小した警告表示画面９ｂがＯＦＦし（ステップ１８）、待機時の画面表示に戻る（ステップ１９）。
【００７３】
図７は本実施例における縮小した警告表示９ｂを示したリモコンの斜視図である。
【００７４】
図７で表示画面部７の上部に縮小した警告表示９ｂを表示する。警告表示例９−イ、９−ロ、９−ハの全文を掲載せず、キャッチコピー的に掲載することでも、その意思を使用者に伝えることが可能である。
【００７５】
また、表示タイマー判定手段８ｂのタイマーカウント中には他のスイッチ類の受付を拒否する制御を有することにより、警告表示画面９ａはあらかじめ定めた時間を表示し使用者に注意していただくメッセージを確実に伝えることが可能になる。
【００７６】
（実施例６）
図８は実施例６における遠隔操作装置のフローチャート、図９は同装置のブロック図である。
【００７７】
同図において、まず給湯運転スイッチ１の操作で（ステップ２１）、マイコン８は警告表示９の必要性を判定し（ステップ２２）、警告表示が必要なら画面に警告表示画面９ａをＯＮする（ステップ２３）。
【００７８】
次に、マイコン８は、警告表示９を画面表示部７に一定時間表示する表示タイマー判定手段８ｂに接続されており、あらかじめ設定した時間が経過すると（ステップ２４）、警告表示画面９ａをＯＦＦする（ステップ２５）。
【００７９】
そして、マイコン８は、表示タイマー判定手段８ｂでタイマーカウント中に他のスイッチ類の操作があると、スイッチ類の判定手段８ｃで判定する（ステップ２６）。
【００８０】
また、判定手段８ｃでスイッチ類の入力を判定したマイコン８は表示タイマー判定手段８ｂのタイマーカウント中でも強制解除する解除手段１２を有する。
【００８１】
前記、解除手段１２で警告表示画面９ａをＯＦＦし通常の動作を行うシーケンスに移行する（ステップ２５）。
【００８２】
スイッチ類の操作によって画面表示部７は動作モード表示に切り換わり通常動作に移行する（ステップ２７）。
【００８３】
給湯運転スイッチ１の操作で運転が停止し（ステップ２８）、画面表示部７は待機時の画面表示に戻る（ステップ２９）。
【００８４】
本実施例は、毎日使用する機器のスイッチ類を操作する上で使用者がその警告表示９を十分理解した上で、素早く次ぎの動作に以降したい思いを実現することで使い勝手の向上がはかれる。
【００８５】
また、表示タイマー判定手段８ｂのプログラムが不用でマイコン８のプログラムの簡略化が図れる。マイコン８はプログラムを簡略することが信頼性の向上につながる。
【００８６】
また、この実施例は実施例５で示した警告表示９を縮小して継続的に表示する警告表示縮小画面９ｂのシーケンスでも同様の解除手段１２を設定できる。
【００８７】
また実施例の警告表示９は遠隔操作装置の画面表示部７の画面上にＰＬ法に基づく警告表示９を示してきたが、遠隔操作装置に限定することなく、他の表示画面を有する機器一般にも広く応用が利く内容である。
【００８８】
【発明の効果】
以上のように本発明では、画面表示部にＰＬ法に基づく警告表示を表示することにより、リモコンの正面から警告ラベルが消えデザイン上のイメージの向上が図れるとともに、確実に使用者に報知することが可能となる。
【図面の簡単な説明】
【図１】（Ａ）本発明の実施例１における遠隔操作装置の斜視図
（Ｂ）同実施例の遠隔操作装置を設けた給湯器のブロック図
【図２】（Ａ）本発明の実施例２における遠隔操作装置の警告表示例を示す斜視図
（Ｂ）同遠隔操作装置の他の警告表示例を示す斜視図
（Ｃ）同遠隔操作装置の他の警告表示例を示す斜視図
【図３】（Ａ）本発明の実施例３における遠隔操作装置の警告表示サイズを示す斜視図
（Ｂ）同遠隔操作装置の他の警告表示サイズを示す斜視図
【図４】本発明の実施例４における遠隔操作装置の警告表示の制御フローチャート
【図５】同実施例のブロック図
【図６】本発明の実施例５における遠隔操作装置の警告表示の制御フローチャート
【図７】同実施例における遠隔操作装置の斜視図
【図８】本発明の実施例６における遠隔操作装置のフローチャート
【図９】同実施例のブロック図
【図１０】従来の遠隔操作装置の斜視図
【符号の説明】
１  給湯運転スイッチ（機能スイッチ群）
２  風呂運転スイッチ（機能スイッチ群）
３  暖房運転スイッチ（機能スイッチ群）
６  通話スイッチ
７  画面表示部（表示部）
９  警告表示
１０  リモコン（遠隔操作装置）
【図１】
2004333052.tif 000003
【図２】
2004333052.tif 000004
【図３】
2004333052.tif 000005
【図４】
2004333052.tif 000006
【図５】
2004333052.tif 000007
【図６】
2004333052.tif 000008
【図７】
2004333052.tif 000009
【図８】
2004333052.tif 000010
【図９】
2004333052.tif 000011
【図１０】
2004333052.tif 000012